(57)【要約】【課題】小型電子部品をそのサイズに関係なく防水、防塵、耐衝撃性をもって確実に保護することができる電子機器のカバー構造を提供することにある。【解決手段】電子機器110において、カードスロット111には、カードスロットカバー101が装着される。カードスロットカバー101は、後端に開口部104を有し、後端の中側にカバー内壁102に対して隙間なく設置された弾性シート103を有する。弾性シート103は、カードスロット111の隔壁となっており、カードスロット111は、弾性シート103、カバー内壁102、電子機器110によって密閉されて、防水構造をなす。カードスロット111にカード100を装着した状態で、カードスロットカバー101をカードスロット111に挿入する。カードスロットカバー101をカードスロット111に挿入すると、弾性シート103は、カード100がカードスロットの底部に突き当たっていることにより押し出される。【選択図】図２
2007134093.tif 000002
【特許請求の範囲】
【請求項１】
小型電子部品が着脱可能に装着される携帯型電子機器の開口部に装着されるカバー構造において、一端側から前記小型電子部品を収容すると共に前記開口部に挿入される筒状部材と、前記筒状部材の他端側において前記筒状部材の内部を前記一端側と前記他端側とに仕切る弾性シートとを備えることを特徴とするカバー構造。
【請求項２】
前記弾性シートは前記筒状部材の内壁に水密的に固定されていることを特徴とする請求項１記載のカバー構造。
【請求項３】
前記弾性シートはゴム製であることを特徴とする請求項１又は２記載のカバー構造。
【請求項４】
前記小型電子部品はメモリーカード型機能拡張部品であり、前記開口部はカードスロットであること特徴とする請求項１乃至３のいずれか１項に記載のカバー構造。
【発明の詳細な説明】
【技術分野】
【０００１】
本発明は、電子機器のカバー構造に関し、特に、小型電子部品が着脱可能に装着される携帯型電子機器の開口部に装着されるカバー構造に関する。
【背景技術】
【０００２】
近年、電子機器は小型化が進んで携帯性が高まっており、使用環境は屋内から屋外の厳しいものになっている。特に、業務用では天候に関係なく屋外で携帯型電子機器を使用するため、防水・防塵性能や耐衝撃性能が求められている。この携帯型電子機器には、ＣＦカードやＳＤカードに代表されるような汎用のカードスロットを持つものが多く（例えば、特許文献１及び２参照）、カードスロットを使用することでＰＨＳや携帯電話の通信網を利用したデータ通信等の機能拡張が可能になる。
【０００３】
機能拡張カードはカードスロット部のサイズは同種のカード間で共通だが、カードスロット部からはみ出す部分のサイズや形状は異なる場合がある。例えば、無線通信機能を持ったＰＨＳカードや携帯電話カードはアンテナを有しているものも多く、カードサイズや形状が異なっている（例えば、特許文献３及び４参照）。
【０００４】
携帯型電子機器だけでなく、拡張カードも、前述のような厳しい環境で拡張カードを使用する場合、防水・防塵・耐衝撃機能を備えている必要がある。携帯型電子機器の筐体内に各種カードを収納できるように、カードの最大サイズを考慮して、筐体サイズを決定することもできるが、筐体の小型化という観点からは好ましくない。
【０００５】
そこで、従来は、図４に示すような構造で上記の問題を解決していた。この構造は、カード２０１に合わせたサイズのカバー２０２を有し、カバー２０２と携帯型電子機器２０３の嵌合部分にパッキン等を設けることで密閉性を確保し、防水・防塵機能を得ることができる。また、カード２０１全体をカバー２０２で保護するため耐衝撃機能も得ることができ、カード２０１先端とカバー２０２の内壁との隙間を小さくすることでスロットからのカード２０１の抜け落ちも抑制することができる。
【０００６】
この構造は、防水・防塵機能を得ることができ、同時に耐衝撃機能も得ることができるため、上記の問題を解決する手段として有効であるが、カードごとにカバーを専用設計する必要があり、カードサイズや形状の異なる複数のカードを使用する場合には、汎用性に乏しい。
【０００７】
そこで、上記の構造にカバーの汎用性をもたせるために考案されたものが図５の構造である。この構造の特徴はカバー３０１を想定される最大のカードサイズに合わせて設計し、最大のカードサイズよりも小さいサイズのカード３０３を使用する場合に発生するカード先端とカバー内壁との隙間を埋めるためにスペーサ３０２を使用する点であり、カバー３０１に汎用性をもたせながらも隙間を埋めることができ、カード３０１の抜け落ちを抑制することができる。
【０００８】
この構造は、スペーサが直接外観に影響しにくい点と、スペーサをゴム等の弾性物質で構成すれば弾性物質の圧縮によりスペーサが共用可能なカードサイズがあるため、必ずしもカードごとにスペーサを作成しなくてもよい点で、図４の構造よりも汎用性に優れている。また、カバー３０１のサイズに変更がないので、携帯型電子機器の筐体外形を一定にできるので筐体に付随するオプション等の設計にも好適である。
【特許文献１】特開平６−３４８６５３号公報
【特許文献２】特開平６−３１８３９０号公報
【特許文献３】特開平９−２８４４１５号公報
【特許文献４】特開２００１−３３９２１１号公報
【発明の開示】
【発明が解決しようとする課題】
【０００９】
しかしながら、図５の構造は図４の構造よりも好適な点はあるものの、スペーサ３０２を使用するため部品点数が多くなる点や、カード３０３交換時にはカードに対応するスペーサ３０２をセットで交換しなければならないため、異なるサイズのカードを屋外等で頻繁に交換する場合などを考慮すると、使い勝手の点で再考の余地があった。
【００１０】
本発明の目的は、小型電子部品をそのサイズに関係なく防水、防塵、耐衝撃性をもって確実に保護することができる電子機器のカバー構造を提供することにある。
【課題を解決するための手段】
【００１１】
上記の目的を達成するために、請求項１記載のカバー構造は、小型電子部品が着脱可能に装着される携帯型電子機器の開口部に装着されるカバー構造において、一端側から前記小型電子部品を収容すると共に前記開口部に挿入される筒状部材と、前記筒状部材の他端側において前記筒状部材の内部を前記一端側と前記他端側とに仕切る弾性シートとを備えることを特徴とする。
【発明の効果】
【００１２】
本発明によれば、筒状部材の他端側において筒状部材の内部を一端側と他端側とに仕切る弾性シートを備えるので、小型電子部品をそのサイズに関係なく防水、防塵、耐衝撃性をもって確実に保護することができる。
【発明を実施するための最良の形態】
【００１３】
以下、本発明の実施の形態を図面を参照しながら詳述する。
【００１４】
図１は、本発明の実施の形態に係るカードスロットカバー構造を有する電子機器の外観斜視図である。
【００１５】
図１において、電子機器１１０は、防水構造を持つ携帯型であり、カードを搭載するカードスロット１１１を有する。このカードスロット１１１には、図２のカードスロットカバー１０１が装着される。
【００１６】
図２は、図１の電子機器に設けられたカードスロットカバー構造の構成を概略的に示す斜視図であり、図３は、図２のスロットカバー構造の断面図である。
【００１７】
図２及び図３において、カードスロット１１１に挿入されるカードスロットカバー１０１は、カードスロット１１１の内側に装着し得るように同様の矩形筒状をなす。先端に図示しない開口部を有すると共に、後端に開口部１０４を有する、後端の中側にカバー内壁１０２に対して隙間なく設置されたゴム等の弾性シート１０３を有する。弾性シート１０３は、カードスロット１１１の隔壁となっており、カードスロット１１１は、弾性シート１０３、カバー内壁１０２、電子機器１１０によって密閉されて、防水構造をなす。
【００１８】
以下、図２及び図３のカードスロットカバー１０１の作動を説明する。
【００１９】
まず、図２のカードスロット１１１に図３のカード１００を装着した状態で、カードスロットカバー１０１をカードスロット１１１に挿入する。この時、弾性シート１０３は、カード１００がカードスロット１１１の底部に突き当たっていることにより図中矢印方向１０６に押し出される。シート１０３は弾性を有するためカード１００に押し出されても密閉性を損なうことがないのでカード搭載時にも防水構造を維持することができる。また、弾性シート１０３の弾性によりカードは矢印方向１０６の逆方向に押さえつけられるためカードの抜け防止にもなる。
【００２０】
また、無線通信カードのような複雑な形状のアンテナを持つカードでも形状に影響を受けにくく、均一にカードを押さえつけられるため、カードスロット１１１のコネクタに接触不良を引き起こすような斜め方向の負荷をかけることも軽減される。なお、無線通信カードは、カードスロットカバー１０１を使用してもアンテナ収納状態のままで十分通信できることが確認できている。更に、もし落下等の衝撃でカードが抜けかけた場合も開口部１０４から指等でカードを押すことにより容易にカード抜けを直し、正常な位置にカードをセットし直すことができる。
【００２１】
本実施の形態において、カバー１０１、開口部１０４、シート１０３の形状は本発明を限定するものではない。本実施の形態では、シート１０３の作成方法はカバーを二部品で構成しシートを二つのカバー間に挟み込む構造（図３）を用いているが、二色成型等によりカバーとシートが一体になった構造にすることも可能である。また、シートを様々な材質で作成することやカバーを複雑な形状にすることも可能である。
【図面の簡単な説明】
【００２２】
【図１】本発明の実施の形態に係るカードスロットカバー構造を有する電子機器の外観斜視図である。
【図２】図１の電子機器に設けられたカードスロットカバー構造の構成を概略的に示す斜視図である。
【図３】図２のスロットカバー構造の断面図である。
【図４】従来例のカードスロットカバーの構成を概略的に示す外観斜視図である。
【図５】従来例のカードスロットカバーの構成を概略的に示す外観斜視図である。
【符号の説明】
【００２３】
１００  カード
１０１  カードスロットカバー
１０２  カバー内壁
１０３  弾性シート
１０４  開口部
１０６  弾性シート押し出し方向
１１０  携帯型電子機器
１１１  カードスロット
２０１  カード
２０２  カバー
２０３  携帯型電子機器
３０１  カバー
３０２  スペーサ
３０３  カード
３０４  携帯型電子機器
【図１】
2007134093.tif 000003
【図２】
2007134093.tif 000004
【図３】
2007134093.tif 000005
【図４】
2007134093.tif 000006
【図５】
2007134093.tif 000007